(57)【要約】【課題】  持ち運び時、及び収納時の取り扱いが容易で、且つコンパクトに収納しうるショベルカー玩具を提供する。【解決手段】  車両本体と、上記車両本体に上下方向に回動可能に固定され、先端にバケットを有するアームと、上記アームを駆動する駆動部とを備えたショベルカー玩具であって、上記駆動部を上記アームに設ける。【選択図】  図１
2009082280.tif 000002
【特許請求の範囲】
【請求項１】
車両本体と、上記車両本体に上下方向に回動可能に固定され、先端にバケットを有するアームと、上記アームを駆動する駆動部とを備えたショベルカー玩具であって、上記駆動部は上記アームに設けられていることを特徴とするショベルカー玩具。
【請求項２】
上記車両本体の前端部には、上記アームの基端部が軸支されるアーム固定部が設けられ、上記アームは、取り外し可能に設けられたアーム固定用軸部を介して着脱可能に車両本体に取り付けられることを特徴とする請求項１記載のショベルカー玩具。
【請求項３】
上記車両本体に設けられた上記駆動部へ電源を供給する電源部と、上記駆動部に接続され上記アームの基端部に配置されたアーム側コネクタと、上記電源部に接続され上記アーム固定部の近傍に配置された車両本体側コネクタとを備え、上記アームを上記車両本体に装着する場合には、上記アーム側コネクタと上記車両本体側コネクタとを接続させて、上記駆動部へ電源を供給することを特徴とする請求項２記載のショベルカー玩具。
【請求項４】
上記車両本体上部には、幼児が着座可能なシートが設けられると共に、上記シートの前端部側には操縦部が設けられ、幼児が着座して上記操縦部により電源供給を制御して上記アームの回動動作を行えることを特徴とする請求項３記載のショベルカー玩具。
【発明の詳細な説明】
【技術分野】
【０００１】
本発明は着脱自在なアームを有し、子供が着座して操作が可能なショベルカー玩具に関する。
【背景技術】
【０００２】
ショベルカーの実物形状を模したショベルカー玩具は従来から提案されている（特許文献１）。
例えば、図７に示すとおり、車両本体部７１と上記車両本体部７１の前部に、上下方向に回動可能に基端部７３が軸支されたアーム７２と、上記アーム７２の先端部７４に取り付けられた、バケット７５とを有し、上記車両本体部７１の内部には、上記アーム７２を上下方向に駆動するための駆動部７６が設けられ、また、上記アーム７２の内部には、上記アーム７２と上記バケット７５を駆動する駆動部７７，７８が設けられたパワーショベル玩具７０が開示されている。
上記パワーショベル玩具７０において、上記駆動部７６と上記アーム７２とは、駆動軸７９、ギア８０を介して互いに密接に接続されているため、上記アーム７２を上記車両本体部７１から容易に取り外すことはできない。
従って、持ち運びや収納の際、非常に不便であり、且つ持ち運び途中でアーム７２が壁面等にぶつかり破損し易いという不具合を有していた。
【０００３】
また、上記文献に開示されたショベルカー玩具は小型模型であるが、上記文献に開示されたショベルカー玩具７０以外にも、アーム７２が駆動可能で、且つ子供が着座可能な大きさを有するショベルカー玩具は一般的に流通している。
しかしながら、上記ショベルカー玩具であっても、上記文献に開示されたショベルカー玩具７０と同様に、アーム７２と車両本体７１が密接に接続された構成となっているため、車両本体からアームを容易に着脱することができない。
従って、上記文献に開示されたショベルカー玩具と同様の不具合に加え、収納時に大きなスペースを要するという別途の不具合をも有していた。
【０００４】
【特許文献１】実開昭５５−１８０４８３号公報
【発明の開示】
【発明が解決しようとする課題】
【０００５】
本発明の課題は、上記不具合を解決し、持ち運び時、及び収納時の取り扱いが容易で、且つコンパクトに収納しうるショベルカー玩具を提供することにある。
【課題を解決するための手段】
【０００６】
上記課題を解決するため、請求項１記載の発明に係るショベルカー玩具においては、車両本体と、上記車両本体に上下方向に回動可能に固定され、先端にバケットを有するアームと、上記アームを駆動する駆動部とを備えたショベルカー玩具であって、上記駆動部は上記アームに設けられていることを特徴とする。
【０００７】
従って、上記車両本体と上記アームが駆動軸やギア等の機械部品を介さずに接続されているため、上記アームと上記車両本体とを容易に着脱することができる。
【０００８】
また、請求項２記載の発明に係るショベルカー玩具においては、上記車両本体の前端部には、上記アームの基端部が軸支されるアーム固定部が設けられ、上記アームは、取り外し可能に設けられたアーム固定用軸部を介して着脱可能に車両本体に取り付けられることを特徴とする。
【０００９】
従って、上記アーム固定用軸部を取り外すことで、上記アームと上記車両本体とを容易に着脱することができる。
【００１０】
また、請求項３記載の発明に係るショベルカー玩具においては、上記車両本体に設けられた上記駆動部へ電源を供給する電源部と、上記駆動部に接続され上記アームの基端部に配置されたアーム側コネクタと、上記電源部に接続され上記アーム固定部の近傍に配置された車両本体側コネクタとを備え、上記アームを上記車両本体に装着する場合には、上記アーム側コネクタと上記車両本体側コネクタとを接続させて、上記駆動部へ電源を供給することを特徴とする。
【００１１】
従って、上記車両本体側コネクタと上記アーム側コネクタを外すだけで、上記電源部と、上記駆動部が容易に分離できる。
【００１２】
また、請求項4記載の発明に係るショベルカー玩具においては、上記車両本体上部には、幼児が着座可能なシートが設けられると共に、上記シートの前端部側には操縦部が設けられ、幼児が着座して上記操縦部により電源供給を制御して上記アームの回動動作を行えることを特徴とする。
【００１３】
従って、上記操縦部によって、幼児が自在にアーム操作を行うことができる。
【発明の効果】
【００１４】
請求項１〜４記載の発明にあっては、車両本体と、上記車両本体に上下方向に回動可能に固定され、先端にバケットを有するアームと、上記アームを駆動する駆動部とを備えたショベルカー玩具であって、上記駆動部は上記アームに設けられているため、上記アームと上記車両本体とが容易に着脱可能であり、小さなスペースでもコンパクトに収納しうるとともに、持ち運びも容易となる。
【００１５】
請求項２記載の発明にあっては、請求項１の効果に加え、上記アーム固定用軸部を取り外すだけで、アームと車両本体とが簡単に着脱可能となり、持ち運び、及び収納作業がより容易となる。
更に、請求項３記載の発明にあっては、駆動部と電源部を容易に切り離すことができるため、持ち運び及び収納作業が更に容易となる。
【００１６】
また、請求項４記載の発明にあっては、請求項１の効果に加え、本物に近い臨場感をもって幼児が遊戯することが可能となる。
【発明を実施するための最良の形態】
【００１７】
以下、本発明の実施の形態を、図面を用いて説明する。
図１に示すとおり、本実施例に係るショベルカー玩具１０は、車両本体１１と、上記車両本体１１に上下方向に回動可能に固定され、先端にバケット１２を有するアーム１３と、上記アーム１３の内部に設けられ上記アーム１３を駆動する駆動部１４ａ、１４ｂ、と、上記車両本体の前端部１５に設けられ上記アーム１３の基端部１６が軸支されるアーム固定部１７と、上記アーム固定部１７において上記アーム１３の基端部１６を軸支するアーム固定用軸部１８とを有する。
また、図２に示すとおり、上記車両本体１１に設けられ上記駆動部１４ａ，１４ｂへ電源を供給する電源部１９と、上記駆動部１４ａ，１４ｂに接続され上記アーム１３の基端部１６に配置されたアーム側コネクタ２０と、上記電源部１９に接続され上記アーム固定部１７の近傍に配置された車両本体側コネクタ２１と、上記車両本体１１の上部に設けられ幼児が着座可能なシート２２と、上記シート２２の前端部側に設けられ上記アーム１３の回動操作が可能な操縦部２３とから構成されている。
【実施例】
【００１８】
上記構成による実施例について図面を用いて説明する。
図２に示すとおり、本実施例に係るパワーショベル玩具のアーム１３は、基端部に向かって前後方向に角度が小さくなるテーバー状の略直方体形状に形成されたアーム基端部１６が連設されて形成されている。
上記アーム基端部１６の内部及び、上記アーム本体部２８の長さ方向略中央部の内部には、上記アーム１３を駆動する駆動部１４ａ、１４ｂが夫々設けられている。
また、上記アーム基端部１６の左右側面には、左右方向に貫通する軸受け孔２６が設けられ、上記アーム基端部１６の下端部２９には、差し込み突起２４が設けられている。
また、上記アーム先端部１６には、所定の長さ寸法を有するアーム側コネクタ２０が接続され、上記アーム側コネクタ２０の先端部３０を差込むための、車両本体側コネクタ２１が、アーム固定部１７の近傍に設けられている。
図３に示すとおり、車両本体１１の前端部１５に設けられたアーム固定部１７は、アーム１３の基端部１６を受ける底面３１と、上記底面３１の左右に、上記アーム基端部を収納しうる間隔に配設された側面板３２、３３とを有した、上方に向けて開放された縦断面略凹字形状に形成されている。
上記底面３１の略中心部には、上記アーム１３の差し込み突起２４を差し込むための孔部２５が設けられていると共に、上記側面板３２，３３の略中心部には、左右方向に貫通する軸受け孔２７，２７が設けられている。
また、図４、及び図６に示すとおり、アーム固定用軸部１８は、略円柱形状に形成され、図６に示すとおり、一方端側には、上記軸受け孔２６，２７に差し込んだ際に上記側面板３２に係合し、差し込み状態を保持するための係止片３４と、係止解除突起３５とが設けられている。
【００１９】
上記構成において、アーム１３を、アーム固定部１７に着脱する方法について説明する。
図３に示すとおり、アーム１３をアーム固定部１７に取り付ける場合、アーム１３の基端部１６に設けられた差し込み突起２４を、アーム固定部１７の底面３１の略中心部に設けられた孔部２５に差込むことで、上記アーム１３の基端部１６が上記アーム固定部１７に収納される。
さらに、図４に示すとおり、上記基端部１６に設けられた軸受け孔２６と、上記アーム固定部１７の側面板３１，３２に設けられた軸受け孔２７，２７の位置を合致させ、上記軸受け孔２６，２７にアーム固定用軸部１８を図中矢印A方向から差し込むと、図６に示すとおり、上記アーム固定用軸部１８の係止片３４が、アーム固定部１７の側面板３２に係止され、アーム１３は、上記アーム固定部１７に上下方向に回動可能に固定される。
また、図５に示すとおり、車両本体側コネクタ２１とアーム側コネクタ２０を接続することで、電源部１９とアーム１３に設けられた駆動部１４ａ、１４ｂが接続される。
【００２０】
また、アーム１３を車両本体１１から取り外す場合は、図６に示すとおり、アーム固定用軸部１８の係止解除突起３５を矢印Ｃの方向に押し下げると、係止片３４とアーム固定部１７の側面部３２との係合が解除される。
上記の状態で、矢印Ａの方向にアーム固定用軸部１８を引き抜くことで、上記アーム１３を上記車両本体１１から取り外すことが可能となる。
【００２１】
従って、持ち運び時や収納時等に、必要に応じてアームと車両本体を容易に着脱できるため、持ち運びがし易く、且つ収納時に大きなスペースを必要としない。
また、持ち運び時に壁面等にぶつける等して、アームが損傷することを防止することができる。
【００２２】
また、図１に示すとおり、アーム１３を車両本体１１に接続させて遊戯する場合には、上記車両本体１１の上部に設けられたシート２２に着座し、シート２２の前端部に設けられた操縦部２３の操作によって、アーム１３を上下自在に回動させることができる。
従って、本物と同様の臨場感を味わいながら遊戯することが可能となる。
【産業上の利用可能性】
【００２３】
本発明は、子供が着座して操作が可能なショベルカー玩具に関する。
【図面の簡単な説明】
【００２４】
【図１】本発明に係るパワーショベル玩具の一実施の形態を示し、実施例の形態おけるパワーショベル玩具の斜視図ある
【図２】本発明に係るパワーショベル玩具の一実施の形態を示し、車両本体とアームを分離した状態の側面図である。
【図３】本発明に係るパワーショベル玩具の一実施の形態を示し、アームをアーム固定部収納する場合の車両前端部の拡大斜視図である。
【図４】本発明に係るパワーショベル玩具の一実施の形態を示し、アーム固定部に収納されたアームをアーム固定用軸部で軸支固定する場合の車両前端部の拡大斜視図である。
【図５】本発明に係るパワーショベル玩具の一実施の形態を示し、アーム固定部に収納されたアームをアーム固定用軸部で軸支固定した状態の車両前端部の拡大斜視図である。
【図６】本発明に係るパワーショベル玩具の一実施の形態を示し、図５における、Ｂ−Ｂ線部における正面断面図である。
【図７】従来のパワーショベル玩具の側面図である。
【符号の説明】
【００２５】
１０  ショベルカー玩具
１１  車両本体
１２  バケット
１３  アーム
１４ａ  駆動部
１４ｂ  駆動部
１５  車両本体の前端部
１６  アーム基端部
１７  アーム固定部
１８  アーム固定用軸部
１９  電源部
２０  アーム側コネクタ
２１  車両本体側コネクタ
２２  シート
２３  操縦部
２４  差し込み突起
２５  孔部
２６  軸受け孔
２７  軸受け孔
２８  アーム本体部
２９  アーム基端部の下端部
３０  アーム側コネクタの先端部
３１  アーム固定部１７の底面部
３２  アーム固定部１７の側面部
３３  アーム固定部１７の側面部
３４  アーム固定用軸部１８の係止部
３５  アーム固定用軸部１８の係止解除突起
【図１】
2009082280.tif 000003
【図２】
2009082280.tif 000004
【図３】
2009082280.tif 000005
【図４】
2009082280.tif 000006
【図５】
2009082280.tif 000007
【図６】
2009082280.tif 000008
【図７】
2009082280.tif 000009